(57)【要約】      （修正有）【課題】排水モーターの排水効率を効果的に向上させることができる排水羽根を提供する。【解決手段】排水羽根１０は凹状円盤体１１およびシャフトを備える。凹状円盤体は円盤１３および環状壁面１５を有する。シャフトは円盤と一定距離を保ちながら円盤を貫通し、軸上部および軸下部２５に分けられる。軸上部は円盤の上方に位置し、複数の径方向に沿って外側へ伸びていく支持リブ２７を有する。複数の支持リブは凹状円盤体に連結される。軸下部は円盤の下方に位置する柱状体であり、少なくとも一つの凸状リブ２９を有する。少なくとも一つの凸状リブは軸下部の表面の上部から下部へ螺旋状に突出するように軸下部に形成され、上部から下部への螺旋方向が駆動軸から駆動されたシャフトの旋転方向と一致する。【選択図】図２
2019183603.tif 000002
【特許請求の範囲】
【請求項１】
凹状円盤体およびシャフトを備え、
前記凹状円盤体は、円盤および環状壁面を有し、前記環状壁面は前記円盤の周縁部から上に伸びて形成され、
前記シャフトは、前記円盤と一定距離を保ちながら前記円盤を貫通し、軸上部および軸下部に分けられ、前記軸上部は前記円盤の上方に位置し、駆動軸に連結され、かつ複数の径方向に沿って外側へ伸びていく支持リブを有し、複数の前記支持リブは前記凹状円盤体に連結され、底部が前記円盤に連結され、外側端部が前記環状壁面に連結されるため、前記軸上部、複数の前記支持リブおよび前記円盤の間には複数の流路が形成され、
前記軸下部は、前記円盤の下方に位置する柱状体であり、少なくとも一つの凸状リブを有し、
少なくとも一つの前記凸状リブは前記軸下部の表面の上部から下部へ螺旋状に突出するように前記軸下部に形成され、前記上部から前記下部への螺旋方向が前記駆動軸から駆動された前記シャフトの旋転方向と一致することを特徴とする、
排水羽根。
【請求項２】
少なくとも一つの前記凸状リブは先端部が前記支持リブに対応することを特徴とする請求項１に記載の排水羽根。
【請求項３】
少なくとも一つの前記凸状リブは末端部に形成された円弧部を有することを特徴とする請求項１に記載の排水羽根。
【請求項４】
前記凸状リブは数が二つ以上であり、前記先端部が前記軸下部の頂部に同じ間隔を置いて分布し、前記末端部が前記軸下部の底部に同じ間隔を置いて分布することを特徴とする請求項１に記載の排水羽根。
【発明の詳細な説明】
【技術分野】
【０００１】
本発明は、排水モーターに関し、詳しくは排水羽根に関するものである。
【背景技術】
【０００２】
特許文献１により掲示された排水羽根において、円盤の下方に位置するシャフトは多辺形の柱体である。多辺形の柱体は複数の平面と、複数の平面が二つずつ相互に連結されて形成した角形の細長い面とを有する。円盤の下方に位置する支持リブは多辺形の柱体のそれぞれの平面および細長い面に連結される。
上述した構造特徴により、多辺形の柱体は複数の平面によって渦巻きを生成し、撥水効果および排水効率を向上させ、複数の細長い面によって気泡を抑制し、騒音を低減することができる。
【０００３】
特許文献１は構造を改良することによって渦巻きを生成できるが、下方から上方の円盤に接近する水流を生成できないため、排水モーターの排水効率は限定される。従って、上述した排水モーターの排水効率には改善の余地がある。
【先行技術文献】
【特許文献】
【０００４】
【特許文献１】台湾特許ＴＷＩ６００８６２号公報
【発明の概要】
【発明が解決しようとする課題】
【０００５】
本発明は、水を上に弾いて下方から上方の凹状円盤体に接近する水流を生成することによって、凹状円盤体を介して水を誘導して排水口から排出する際の利便性をはかり、排水モーターの排水効率を効果的に向上させることができる排水羽根を提供することを主な目的とする。
【０００６】
本発明は、水の抵抗を抑制し、騒音を低減することができる排水羽根を提供することをもう一つの目的とする。
【課題を解決するための手段】
【０００７】
上述した課題を解決するため、排水羽根は凹状円盤体およびシャフトを備える。凹状円盤体は円盤および環状壁面を有する。環状壁面は円盤の周縁部から上に伸びて形成される。シャフトは円盤と一定距離を保ちながら円盤を貫通し、軸上部および軸下部に分けられる。軸上部は円盤の上方に位置し、駆動軸に連結され、かつ複数の径方向に沿って外側へ伸びていく支持リブを有する。複数の支持リブは凹状円盤体に連結され、底部が円盤に連結され、外側端部が環状壁面に連結されるため、軸上部、複数の支持リブおよび円盤の間には複数の流路が形成される。その特徴は次の通りである。軸下部は円盤の下方に位置する柱状体であり、少なくとも一つの凸状リブを有する。少なくとも一つの凸状リブは軸下部の表面の上部から下部へ螺旋状に突出するように軸下部に形成され、上部から下部への螺旋方向が駆動軸から駆動されたシャフトの旋転方向と一致する。
【０００８】
上述した特徴により、本発明による排水羽根は水を上に弾いて下方から上方の円盤に接近する水流を生成することによって、凹状円盤体を介して水を誘導し、排水口から排出する際の利便性をはかり、排水モーターの排水効率を効果的に向上させることができる。
【０００９】
上述した特徴により、本発明による排水羽根は水の抵抗を抑制し、騒音を低減することができる
【図面の簡単な説明】
【００１０】
【図１】本発明の一実施形態による排水羽根を示す正面側斜視図である。
【図２】本発明の一実施形態による排水羽根を示す背面側斜視図である。
【図３】本発明の一実施形態による排水羽根において凸状リブの螺旋形態が異なる状態を示す背面側斜視図である。
【図４】図１中の４−４線に沿った断面図である。
【図５】本発明の一実施形態による排水羽根を示す底面図である。
【図６】本発明の一実施形態による排水羽根が使用される状態を示す断面図である。
【図７】本発明の別の一実施形態による排水羽根において凸状リブの数が一つであり、軸下部が円柱体である状態を示す背面側斜視図である。
【図８】本発明の別の一実施形態による排水羽根において凸状リブの数が二つであり、軸下部が円柱体である状態を示す背面側斜視図である。
【発明を実施するための形態】
【００１１】
以下、本発明による排水羽根を図面に基づいて説明する。
【００１２】
（一実施形態）
図１から図６に示すように、本発明の一実施形態による排水羽根１０は凹状円盤体１１およびシャフト２１を備える。
【００１３】
凹状円盤体１１は、円盤１３および環状壁面１５を有する。環状壁面１５は円盤１３の周縁部から上に伸びて形成される。
【００１４】
シャフト２１は、円盤１３と一定距離を保ちながら円盤１３を貫通し、軸上部２３および軸下部２５に分けられる。軸上部２３は円盤１３の上方に位置し、駆動軸１００に連結され、かつ複数の径方向に沿って外側へ伸びていく支持リブ２７を有する。複数の支持リブ２７は凹状円盤体１１に連結され、底部が円盤１３に連結され、外側端部が環状壁面１５に連結されるため、軸上部２３、複数の支持リブ２７および円盤１３の間には複数の流路１７が形成される。軸下部２５は円盤１３の下方に位置する三角柱であり、少なくとも一つの凸状リブ２９を有する。本実施形態において、凸状リブ２９は数が三つであり、軸下部２５の表面の上部から下部へ螺旋状に突出するように軸下部２５に形成される。
図２および図３に示すように、軸下部２５に螺旋状に突出して形成された凸状リブ２９の状態は異なってもよい。つまり、凸状ブリ２９は上述に限定されない。凸状リブ２９は上部から下部への螺旋方向が駆動軸１００から駆動されたシャフト２１の旋転方向と一致するため、下方から上方の円盤に接近する水流を生成し、騒音を効果的に低減することができる。複数の凸状リブ２９は先端部が軸下部２５の頂部に同じ間隔を置いて分布し、末端部が軸下部２５の底部に同じ間隔を置いて分布するため、駆動軸１００から駆動された排水羽根１０はスムーズに旋転できる。一方、複数の凸状リブ２９は先端部が支持リブ２７に対応するため、複数の流路１７を流動する水を妨害することを避けることができる。複数の凸状リブ２９は末端部に形成された円弧部２９１を有するため、水の抵抗を抑制できる。
【００１５】
以上は本発明の一実施形態の構造についての説明である。続いて本発明の一実施形態の作動状態について説明を進める。
【００１６】
図１から図６に示すように、本発明による排水羽根１０が排水モーターの集水槽９９に装着される際、シャフト２１は先端部が駆動軸１００に連結され、軸下部２５の複数の凸状リブ２９が軸下部２５の表面の上部から下部へ螺旋状に突出するように軸下部２５に形成される。複数の凸状リブ２９は上部から下部への螺旋方向が駆動軸１００から駆動されたシャフト２１の旋転方向と一致する。上述した技術特徴により、排水羽根１０が駆動軸１００の駆動力によって旋転する際、図６に示すように、複数の凸状リブ２９は集水槽９９内の水（矢印表示）の流動を促す。
集水槽９９内の水は複数の凸状リブ２９に沿って上方の凹状円盤体１１へ接近し、複数の流路１７を通過し、排水口９８から流出する。複数の凸状リブ２９は軸下部２５の上部から下部へ螺旋状に分布するため、排水羽根１０が駆動軸１００の駆動力によって水を弾く際、複数の凸状リブ２９は水に対する抵抗を低下させ、気泡発生を抑制し、騒音を低減する効果を果たす。
【００１７】
上述したとおり、本発明による排水羽根は水を上に弾いて下方から上方の凹状円盤体に接近する水流を生成することによって、凹状円盤体を介して水を誘導し、排水口から排出する際の利便性をはかり、排水モーターの排水効率を効果的に向上させることができる。
【００１８】
上述したとおり、本発明による排水羽根は水の抵抗を抑制し、騒音を低減することができる。
【００１９】
（別の一実施形態）
本発明の別の一実施形態による排水羽根１０’と上述した一実施形態との違いは下記のとおりである。
【００２０】
図７および図８に示すように、軸下部２５’は円柱体であるが、これに限らず、形の異なる角柱であってもよい。つまり、軸下部２５’は上述した実施形態に限定されない。軸下部２５’は形だけが変化するため、図面に表示されない。撥水効率が十分でさえあれば、凸状リブ２９は図７に示すように数が一つであるか、図８に示すように数が二つであってもよい。
複数の流路１７の流れをスムーズに維持できれば、それぞれの凸状リブ２９’は必ずしも先端部が支持リブ２７’に対応するとは限らず、一部分が一つの支持リブ２７’に対応するか、全部が支持リブ２７’に対応しないように配置されてもよい。つまり、凸状リブ２９’と支持リブ２７’との配置関係は上述した実施形態に限定されない。
【００２１】
別の一実施形態の構造および達成した効果は上述した一実施形態とほぼ同じであるため、説明を省略する。
【符号の説明】
【００２２】
１０、１０’  排水羽根  
１１  凹状円盤体
１３  円盤  
１５  環状壁面  
１７、１７’  流路  
２１  シャフト  
２３  軸上部  
２５、２５’  軸下部  
２７、２７’  支持リブ  
２９、２９’  凸状リブ  
２９１  円弧部  
９８  排水口  
９９  水槽  
１００  駆動軸
【図１】
2019183603.tif 000003
【図２】
2019183603.tif 000004
【図３】
2019183603.tif 000005
【図４】
2019183603.tif 000006
【図５】
2019183603.tif 000007
【図６】
2019183603.tif 000008
【図７】
2019183603.tif 000009
【図８】
2019183603.tif 000010
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
凹状円盤体およびシャフトを備え、
前記凹状円盤体は、円盤および環状壁面を有し、前記環状壁面は前記円盤の周縁部から上に伸びて形成され、
前記シャフトは、前記円盤と一定距離を保ちながら前記円盤を貫通し、軸上部および軸下部に分けられ、前記軸上部は前記円盤の上方に位置し、駆動軸に連結され、かつ複数の径方向に沿って外側へ伸びていく支持リブを有し、複数の前記支持リブは前記凹状円盤体に連結され、底部が前記円盤に連結され、外側端部が前記環状壁面に連結されるため、前記軸上部、複数の前記支持リブおよび前記円盤の間には複数の流路が形成され、
前記軸下部は、前記円盤の下方に位置する柱状体と、前記柱状体の周囲に形成される少なくとも一つの凸状リブを有し、
少なくとも一つの前記凸状リブは、前記柱状体の表面の一部を露出させた態様で、前記軸下部の上部から下部へ螺旋状に突出するように形成され、前記上部から前記下部への螺旋方向が前記駆動軸から駆動された前記シャフトの旋転方向と一致することを特徴とする、
排水羽根。
【請求項２】
少なくとも一つの前記凸状リブの上端が、前記支持リブに接続されていることを特徴とする請求項１に記載の排水羽根。
【請求項３】
少なくとも一つの前記凸状リブの下端に、円弧部が形成されていることを特徴とする請求項１に記載の排水羽根。
【請求項４】
前記凸状リブは数が二つ以上であり、前記各凸状リブの上端が前記軸下部の頂部で等間隔に位置するように分布し、前記各凸状リブの下端が前記軸下部の底部で等間隔に位置するように分布することを特徴とする請求項１に記載の排水羽根。
【手続補正２】
【補正対象書類名】明細書
【補正対象項目名】全文
【補正方法】変更
【補正の内容】
【発明の詳細な説明】
【技術分野】
【０００１】
本発明は、排水モーターに関し、詳しくは排水羽根に関するものである。
【背景技術】
【０００２】
特許文献１により掲示された排水羽根において、円盤の下方に位置するシャフトは多辺形の柱体である。多辺形の柱体は複数の平面と、複数の平面が二つずつ相互に連結されて形成した角形の細長い面とを有する。円盤の下方に位置する支持リブは多辺形の柱体のそれぞれの平面および細長い面に連結される。
上述した構造特徴により、多辺形の柱体は複数の平面によって渦巻きを生成し、撥水効果および排水効率を向上させ、複数の細長い面によって気泡を抑制し、騒音を低減することができる。
【０００３】
特許文献１は構造を改良することによって渦巻きを生成できるが、下方から上方の円盤に接近する水流を生成できないため、排水モーターの排水効率は限定される。従って、上述した排水モーターの排水効率には改善の余地がある。
【先行技術文献】
【特許文献】
【０００４】
【特許文献１】台湾特許ＴＷＩ６００８６２号公報
【発明の概要】
【発明が解決しようとする課題】
【０００５】
本発明は、水を上に弾いて下方から上方の凹状円盤体に接近する水流を生成することによって、凹状円盤体を介して水を誘導して排水口から排出する際の利便性をはかり、排水モーターの排水効率を効果的に向上させることができる排水羽根を提供することを主な目的とする。
【０００６】
本発明は、水の抵抗を抑制し、騒音を低減することができる排水羽根を提供することをもう一つの目的とする。
【課題を解決するための手段】
【０００７】
上述した課題を解決するため、排水羽根は凹状円盤体およびシャフトを備える。凹状円盤体は円盤および環状壁面を有する。環状壁面は円盤の周縁部から上に伸びて形成される。シャフトは円盤と一定距離を保ちながら円盤を貫通し、軸上部および軸下部に分けられる。軸上部は円盤の上方に位置し、駆動軸に連結され、かつ複数の径方向に沿って外側へ伸びていく支持リブを有する。複数の支持リブは凹状円盤体に連結され、底部が円盤に連結され、外側端部が環状壁面に連結されるため、軸上部、複数の支持リブおよび円盤の間には複数の流路が形成される。その特徴は次の通りである。軸下部は円盤の下方に位置する柱状体と、前記柱状体の周囲に形成される少なくとも一つの凸状リブを有する。少なくとも一つの凸状リブは、前記柱状体の表面の一部を露出させた態様で、前記軸下部の上部から下部へ螺旋状に突出するように形成され、上部から下部への螺旋方向が駆動軸から駆動されたシャフトの旋転方向と一致する。
【０００８】
上述した特徴により、本発明による排水羽根は水を上に弾いて下方から上方の円盤に接近する水流を生成することによって、凹状円盤体を介して水を誘導し、排水口から排出する際の利便性をはかり、排水モーターの排水効率を効果的に向上させることができる。
【０００９】
上述した特徴により、本発明による排水羽根は水の抵抗を抑制し、騒音を低減することができる
【図面の簡単な説明】
【００１０】
【図１】本発明の一実施形態による排水羽根を示す正面側斜視図である。
【図２】本発明の一実施形態による排水羽根を示す背面側斜視図である。
【図３】本発明の一実施形態による排水羽根において凸状リブの螺旋形態が異なる状態を示す背面側斜視図である。
【図４】図１中の４−４線に沿った断面図である。
【図５】本発明の一実施形態による排水羽根を示す底面図である。
【図６】本発明の一実施形態による排水羽根が使用される状態を示す断面図である。
【図７】本発明の別の一実施形態による排水羽根において凸状リブの数が一つであり、軸下部が円柱体である状態を示す背面側斜視図である。
【図８】本発明の別の一実施形態による排水羽根において凸状リブの数が二つであり、軸下部が円柱体である状態を示す背面側斜視図である。
【発明を実施するための形態】
【００１１】
以下、本発明による排水羽根を図面に基づいて説明する。
【００１２】
（一実施形態）
図１から図６に示すように、本発明の一実施形態による排水羽根１０は凹状円盤体１１およびシャフト２１を備える。
【００１３】
凹状円盤体１１は、円盤１３および環状壁面１５を有する。環状壁面１５は円盤１３の周縁部から上に伸びて形成される。
【００１４】
シャフト２１は、円盤１３と一定距離を保ちながら円盤１３を貫通し、軸上部２３および軸下部２５に分けられる。軸上部２３は円盤１３の上方に位置し、駆動軸１００に連結され、かつ複数の径方向に沿って外側へ伸びていく支持リブ２７を有する。複数の支持リブ２７は凹状円盤体１１に連結され、底部が円盤１３に連結され、外側端部が環状壁面１５に連結されるため、軸上部２３、複数の支持リブ２７および円盤１３の間には複数の流路１７が形成される。軸下部２５は円盤１３の下方に位置する三角柱であり、少なくとも一つの凸状リブ２９を有する。本実施形態において、凸状リブ２９は数が三つであり、軸下部２５の表面の上部から下部へ螺旋状に突出するように軸下部２５に形成される。
図２および図３に示すように、軸下部２５に螺旋状に突出して形成された凸状リブ２９の状態は異なってもよい。つまり、凸状ブリ２９は上述に限定されない。凸状リブ２９は上部から下部への螺旋方向が駆動軸１００から駆動されたシャフト２１の旋転方向と一致するため、下方から上方の円盤に接近する水流を生成し、騒音を効果的に低減することができる。複数の凸状リブ２９は、該凸状リブ２０の上端にあたる先端部が軸下部２５の頂部に同じ間隔を置いて分布し、該凸状リブ２０の下端にあたる末端部が軸下部２５の底部に同じ間隔を置いて分布するため、駆動軸１００から駆動された排水羽根１０はスムーズに旋転できる。一方、複数の凸状リブ２９は先端部が支持リブ２７に接続されて対応するため、複数の流路１７を流動する水を妨害することを避けることができる。複数の凸状リブ２９は末端部に形成された円弧部２９１を有するため、水の抵抗を抑制できる。
【００１５】
以上は本発明の一実施形態の構造についての説明である。続いて本発明の一実施形態の作動状態について説明を進める。
【００１６】
図１から図６に示すように、本発明による排水羽根１０が排水モーターの集水槽９９に装着される際、シャフト２１の先端が駆動軸１００に連結され、軸下部２５の複数の凸状リブ２９が軸下部２５の表面の上部から下部へ螺旋状に突出するように軸下部２５に形成される。複数の凸状リブ２９は上部から下部への螺旋方向が駆動軸１００から駆動されたシャフト２１の旋転方向と一致する。上述した技術特徴により、排水羽根１０が駆動軸１００の駆動力によって旋転する際、図６に示すように、複数の凸状リブ２９は集水槽９９内の水（矢印表示）の流動を促す。
集水槽９９内の水は複数の凸状リブ２９に沿って上方の凹状円盤体１１へ接近し、複数の流路１７を通過し、排水口９８から流出する。複数の凸状リブ２９は軸下部２５の上部から下部へ螺旋状に分布するため、排水羽根１０が駆動軸１００の駆動力によって水を弾く際、複数の凸状リブ２９は水に対する抵抗を低下させ、気泡発生を抑制し、騒音を低減する効果を果たす。
【００１７】
上述したとおり、本発明による排水羽根は水を上に弾いて下方から上方の凹状円盤体に接近する水流を生成することによって、凹状円盤体を介して水を誘導し、排水口から排出する際の利便性をはかり、排水モーターの排水効率を効果的に向上させることができる。
【００１８】
上述したとおり、本発明による排水羽根は水の抵抗を抑制し、騒音を低減することができる。
【００１９】
（別の一実施形態）
本発明の別の一実施形態による排水羽根１０’と上述した一実施形態との違いは下記のとおりである。
【００２０】
図７および図８に示すように、軸下部２５’は円柱体であるが、これに限らず、形の異なる角柱であってもよい。つまり、軸下部２５’は上述した実施形態に限定されない。軸下部２５’は形だけが変化するため、図面に表示されない。撥水効率が十分でさえあれば、凸状リブ２９は図７に示すように数が一つであるか、図８に示すように数が二つであってもよい。
複数の流路１７の流れをスムーズに維持できれば、それぞれの凸状リブ２９’は必ずしも先端部が支持リブ２７’に接続されて対応するとは限らず、一部分が一つの支持リブ２７’に接続されて対応するか、全部が支持リブ２７’に接続されることなく対応しないように配置されてもよい。つまり、凸状リブ２９’と支持リブ２７’との配置関係は上述した実施形態に限定されない。
【００２１】
別の一実施形態の構造および達成した効果は上述した一実施形態とほぼ同じであるため、説明を省略する。
【符号の説明】
【００２２】
１０、１０’  排水羽根  
１１  凹状円盤体
１３  円盤  
１５  環状壁面  
１７、１７’  流路  
２１  シャフト  
２３  軸上部  
２５、２５’  軸下部  
２７、２７’  支持リブ  
２９、２９’  凸状リブ  
２９１  円弧部  
９８  排水口  
９９  水槽  
１００  駆動軸